(57)【特許請求の範囲】
【請求項１】
線路の幅がテーパー状に変化するコプレーナ線路において、
中央導体と、
この中央導体の両端にギャップを介して形成された２つのグランドとを備え、
前記中央導体のテーパー部分の縁の形状を微分可能な曲線の形状とし、前記テーパー部分の両端の微分係数が”０”で微分可能な曲線の形状であると共に、前記テーパー部分であって、前記中心導体の縁の法線方向の中心導体の中心線迄の幅と前記法線方向の前記ギャップの幅とが一定の比率になるように前記グランドの縁の形状を形成することを特徴とするコプレーナ線路。
【請求項２】
前記曲線の形状が、
余弦曲線若しくは正弦曲線のうち微分係数が”０”になる２点の間の曲線の形状であることを特徴とする
請求項１記載のコプレーナ線路。
【請求項３】
前記曲線の形状が、
２以上の直線によって近似されたことを特徴とする
請求項１若しくは請求項２記載のコプレーナ線路。
【請求項４】
前記グランドの縁の形状が、
２以上の直線によって近似されたことを特徴とする
請求項１若しくは請求項２記載のコプレーナ線路。
【発明の詳細な説明】
【０００１】
本発明は、線路の幅がテーパー状に変化する伝送線路に関し、特にテーパー部分での高周波信号の反射を低減し、特性インピーダンスを一定に保持することが可能な伝送線路に関する。
【０００２】
【従来の技術】
従来、伝送線路は特性インピーダンスが一定な高速・高周波用の線路であり、同軸線路、マイクロストリップ線路及びコプレーナ線路（Coplanar Waveguide）等が存在する。また、コプレーナ線路は平面上に構成することが可能であり、製造が容易である。
【０００３】
図７はこのような従来の伝送線路（コプレーナ線路：以下、単に伝送線路と呼ぶ。）の一例を示す平面図である。図７において１は中心導体、２及び３はグランドである。中心導体１と両端のグランド２及び３との間には図７中”ＧＰ０１”及び”ＧＰ０２”に示すようなギャップが存在する。
【０００４】
伝送線路では中心導体１の幅とギャップの幅との比によって線路の特性インピーダンスが決定される。また、同じ特性インピーダンスであっても中心導体１等の幅の異なる伝送線路を構成することが可能である。
【０００５】
すなわち、図７に示す伝送線路において中心導体１の左端の幅とギャップの幅を”Ｗ１”及び”Ｓ１”とし、中心導体１の右端の幅とギャップの幅を”Ｗ２”及び”Ｓ２”とした場合、
Ｗ１：Ｓ１＝Ｗ２：Ｓ２      （１）
なる関係を満足すれば同一の特性インピーダンスとなる。
【０００６】
但し、図７に示すように”Ｗ１＋２×Ｓ１＜Ｗ２”なる関係の場合には、単純に両端の中止導体１の幅を維持しながら中心部に向って延長しただけでは、中心導体１とグランド２及び３が短絡してしまう。
【０００７】
このため、図７中”ＴＰ０１”及び”ＴＰ０２”に示す部分に直線的にテーパー形状を設けている。
【０００８】
【発明が解決しようとする課題】
しかし、図７に示すような直線状のテーパー形状では、伝送線路を伝送するエネルギーは中央導体１の縁の部分に集中するため、微分できない中央導体１の部分で高周波信号の反射が生じ伝送損失が発生してしまうと言った問題点があった。
【０００９】
また、図７に示すような直線状のテーパー形状では図７中”ＴＰ０１”及び”ＴＰ０２”に示すテーパー部分で特性インピーダンスが一定ではなく、伝送線路に沿って特性インピーダンスを保持すると言った伝送線路の要請を満足できないと言った問題点があった。
従って本発明が解決しようとする課題は、テーパー部分での高周波信号の反射を低減し、特性インピーダンスを一定に保持することが可能な伝送線路を実現することにある。
【００１０】
【課題を解決するための手段】
このような課題を達成するために、本発明のうち請求項１記載の発明は、
線路の幅がテーパー状に変化するコプレーナ線路において、
中央導体と、この中央導体の両端にギャップを介して形成された２つのグランドとを備え、前記中央導体のテーパー部分の縁の形状を微分可能な曲線の形状とし、前記テーパー部分の両端の微分係数が”０”で微分可能な曲線の形状であると共に、前記テーパー部分であって、前記中心導体の縁の法線方向の中心導体の中心線迄の幅と前記法線方向の前記ギャップの幅とが一定の比率になるように前記グランドの縁の形状を形成することにより、高周波信号の反射を低減させることが可能になり、テーパー部分の特性インピーダンスを一定に保持することが可能になる。
【００１１】
請求項２記載の発明は、
請求項１記載の発明であるコプレーナ線路において、
前記曲線の形状が、
余弦曲線若しくは正弦曲線のうち微分係数が”０”になる２点の間の曲線の形状であることにより、高周波信号の反射を低減させることが可能になる。
【００１２】
請求項３記載の発明は、
請求項１若しくは請求項２記載の発明であるコプレーナ線路において、
前記曲線の形状が、
２以上の直線によって近似されたことにより、伝送線路（コプレーナ線路）の設計が容易になる。
【００１３】
請求項４記載の発明は、
請求項１若しくは請求項２記載の発明であるコプレーナ線路において、
前記グランドの縁の形状が、
２以上の直線によって近似されたことにより、伝送線路（コプレーナ線路）の設計が容易になる。
【００１６】
【発明の実施の形態】
以下本発明を図面を用いて詳細に説明する。図１は本発明に係る伝送線路の一実施例を示す構成平面図である。
【００１７】
図１において４は中心導体、５及び６はグランドである。中心導体４と両端のグランド５及び６との間には図１中”ＧＰ１１”及び”ＧＰ１２”に示すようなギャップが存在する。
【００１８】
また、特性インピーダンスとしては一般的に”５０Ω”が用いられる場合が多いので、アルミナ基板を用いて中心導体の幅とギャップの幅の比が”８：２”になるようにすることにより、”約５０Ω”の特性インピーダンスが実現できる。
【００１９】
具体的には、図１中”Ｗ１’”及び”Ｓ１’”に示す中心導体４の左端の幅及びギャップの幅”８０μｍ”及び”２０μｍ”から、図１中”Ｗ２’”及び”Ｓ２’”に示す中心導体４の右端の幅及びギャップの幅”８００μｍ”及び”２００μｍ”に変化する。
【００２０】
ここで、図１中”ＴＰ１１”に示すテーパー部分の中心導体及びグランドの形状を図２を用いて説明する。図２は余弦（コサイン）曲線の一例を示す説明図である。但し、説明の簡単のために図１中の一点鎖線で示す中心導体４の中心線の図面上方の中心導体４及びグランド５について説明する。
【００２１】
中心導体４は図１中”ＴＰ１１”に示すテーパー部分で微分可能な滑らかな曲線でテーパーを形成し、図１中”ＴＰ１１”に示すテーパー部分の両端では微分係数が”０”になるようにする。
【００２２】
例えば、図２中”ＣＣ２１”に示すような余弦（コサイン）曲線の内で、微分係数が”０”になる図２中”ＰＴ２１”と図２中”ＰＴ２２”との間の図２中”ＴＳ２１”に示す曲線形状を中心導体４の縁の形状とする。
【００２３】
一方、伝送線路を伝送するエネルギーは中心導体４の縁の近傍に集中するので、グランド５の形状は中心導体４の縁の法線方向の中心導体４の中心線迄の幅と当該法線方向のギャップの幅が一定の比率になるようにする。
【００２４】
例えば、図１中”ＰＴ１１”に示す点の法線方向の中心導体４の中心線迄の幅を”ａ”、図１中”ＰＴ１１”に示す点の法線方向のギャップの幅を”ｂ”とした場合、
ａ：ｂ＝４：２      （２）
となるようにすれば、特性インピーダンスを”約５０Ω”にすることができる。
【００２５】
すなわち、図７に示す従来例では中心導体の微分できない形状の縁の部分で高周波信号の反射が生じて伝送損失となるが、図１に示す実施例では中心導体の縁の形状は微分可能であるので従来例のような高周波信号の反射を低減させることが可能になる。
【００２６】
また、図１に示す実施例ではテーパー部分の中心導体４の縁の法線方向の中心導体４の中心線迄の幅と当該法線方向のギャップの幅が一定の比率になるようにしているので、テーパー部分の特性インピーダンスを所望の値にさせることが可能になる。
【００２７】
この結果、テーパー部分の中心導体４の形状を、テーパー部分の両端の微分係数が”０”で微分可能な滑らかな曲線の形状とし、グランド５の形状を中心導体４の縁の法線方向の中心導体４の中心線迄の幅と当該法線方向のギャップの幅が一定の比率になるようにすることにより、高周波信号の反射を低減させることが可能になり、テーパー部分の特性インピーダンスを一定に保持することが可能になる。
【００２８】
なお、図１に示す実施例では余弦（コサイン）曲線の曲線を用いているが、このような曲線を直線近似しても構わない。図３及び図４は８本の直線で曲線を近似した場合の中心導体４及びグランド５の縁の座標を示す表である。
【００２９】
すなわち、図１中”ＯＰ１１”に示す中心導体４の中心線上であってテーパーの開始位置を原点とし、中心線を”ｘ軸”、図１中”ＯＰ１１”に示す原点を通過し中心線に垂直な軸を”ｙ軸”とした場合の近似直線の通過する座標を示している。
【００３０】
この場合には、テーパー部分を直線近似によって形成できるので伝送線路の設計が容易になる。
【００３１】
また、図３及び図４では８本の直線により曲線を近似しているが、勿論、直線の数は８本に限定される訳ではなく、伝送線路の設計に応じて２本以上の直線 によって曲線を近似すれば良い。
【００３２】
また、図１に示す実施例では余弦（コサイン）曲線の曲線を用いているが、位相が異なる正弦（サイン）曲線を用いても同様の結果を得ることができる。
【００３３】
また、図１に示す実施例では余弦（コサイン）曲線の曲線を用いているが、テーパー部分の両端の微分係数が”０”で微分可能な滑らかな曲線の形状であれば、どのような曲線であっても良く、例えば、３次式等によって表現される曲線の形状を用いても構わない。
【００３４】
また、図５は実施例と従来例との反射特性の一例を示す特性曲線図、図６は実施例と従来例との伝送特性の一例を示す特性曲線図である。
【００３５】
具体的には、”０．２５４ｍｍ”厚のアルミナ基板上にテーパーを２つ用いて、両端の中心導体が細くなり、中心部の太い中心導体の部分が”３．５ｍｍ”連続するようにし、両端の細い中心導体の間で周波数特性を測定したものである。
【００３６】
例えば、図５中”ＣＨ３１”に示す実施例の反射特性は図５中”ＣＨ３２”に示す従来例の反射特性と比較して極大値において”５〜１０ｄＢ”程度改善され、図６中”ＣＨ４１”に示す実施例の伝送特性は図６中”ＣＨ４２”に示す従来例の伝送特性と比較して極小値において”０．５ｄＢ”程度改善されている。
【００３７】
また、コプレーナ線路は基板の厚さによって所望の特性インピーダンスを得るための中心導体の幅とギャップの幅との比が変化する場合があるので、当該変化に応じて図１中”ｂ”に示す中心導体の縁の法線方向のギャップの幅を調整すれば良い。
【００３８】
例えば、図１中”ａ”に示す中心導体４の縁の法線方向の中心導体４の中心線迄の幅を決定しておき、基板の厚さによって変化した比率に応じて、図１中”ｂ”に示す中心導体の縁の法線方向のギャップの幅を調整すれば良い。
【００３９】
【発明の効果】
以上説明したことから明らかなように、本発明によれば次のような効果がある。
請求項１及び請求項２の発明によれば、テーパー部分の中心導体の形状を、テーパー部分の両端の微分係数が”０”で微分可能な滑らかな曲線の形状とすることにより、高周波信号の反射を低減させることが可能になる。
【００４０】
また、請求項１及び請求項２の発明によれば、テーパー部分の中心導体の形状を、テーパー部分の両端の微分係数が”０”で微分可能な滑らかな曲線の形状とし、グランドの形状を中心導体の縁の法線方向の中心導体の中心線迄の幅と当該法線方向のギャップの幅が一定の比率になるようにすることにより、テーパー部分の特性インピーダンスを一定に保持することが可能になる。
【００４１】
また、請求項３及び請求項４の発明によれば、曲線の形状を２以上の直線で近似することにより、テーパー部分を直線近似によって形成できるので伝送線路の設計が容易になる。
【図面の簡単な説明】
【図１】本発明に係る伝送線路の一実施例を示す構成平面図である。
【図２】余弦（コサイン）曲線の一例を示す説明図である。
【図３】８本の直線で曲線を近似した場合の中心導体４の縁の座標を示す表である。
【図４】８本の直線で曲線を近似した場合のグランド５の縁の座標を示す表である。
【図５】実施例と従来例との反射特性の一例を示す特性曲線図である。
【図６】実施例と従来例との伝送特性の一例を示す特性曲線図である。
【図７】従来の伝送線路の一例を示す平面図である。
【符号の説明】
１，４  中心導体
２，３，５，６  グランド
【図１】
0003729256.tif 000002
【図２】
0003729256.tif 000003
【図３】
0003729256.tif 000004
【図４】
0003729256.tif 000005
【図５】
0003729256.tif 000006
【図６】
0003729256.tif 000007
【図７】
0003729256.tif 000008